(57)【要約】【課題】複数のユーザが同時に参加可能なコードレスインタラクティブ装置を提供する。【解決手段】外部装置接続用コネクタ１１と処理ユニット１２とコードレス受信／発信ユニット１３とメモリカードコネクタ１４とを有し、外部装置接続用コネクタ１１をコンピュータ２０に接続し、メモリカードコネクタ１４に接続されたメモリカードＭ１に記憶されたデータを処理ユニット１２が読み取りコンピュータ２０に接続されたディスプレー３０に表示するメーン制御端装置１０と、感圧型タブレットゾーン４１とコードレス受信／発信ユニット４２とメモリカードコネクタ４３とを有し、感圧型タブレットゾーン４１で発生した信号と、メモリカードコネクタ４３に接続されているメモリカードＭ２から読み取ったデータとをコードレス受信／発信ユニット４２が外部に発信し、ディスプレー３０に表示するサブ制御端装置４０と、を備える。【選択図】図３
0003140544.tif 000002
【実用新案登録請求の範囲】
【請求項１】
外部装置接続用コネクタ、処理ユニット、第一コードレス受信／発信ユニット、及び第一メモリカードコネクタを有し、前記外部装置接続用コネクタをコンピュータに接続したとき、前記第一メモリカードコネクタに接続されている第一メモリカードに記憶されたデータを前記処理ユニットによって読み取り、このデータを処理した結果をコンピュータに接続されているディスプレーに表示可能なメーン制御端装置と、
感圧型タブレットゾーン、第二コードレス受信／発信ユニット及び第二メモリカードコネクタを有し、前記感圧型タブレットゾーンで発生した信号と、前記第二メモリカードコネクタに接続されている第二メモリカードから読み取ったデータとを前記第二コードレス受信／発信ユニットによって外部に発信し、前記メーン制御端装置の前記第一コードレス受信／発信ユニットが受信し、このデータを前記処理ユニットが処理した結果を前記コンピュータに接続されているディスプレーに表示可能なサブ制御端装置と、
を備えることを特徴とするコードレスインタラクティブ装置。
【請求項２】
前記メーン制御端装置に接続されている前記第一メモリカードは、前記コンピュータに接続されているディスプレーに表示される信号を記憶可能であることを特徴とする請求項１に記載のコードレスインタラクティブ装置。
【請求項３】
前記メーン制御端装置の前記処理ユニットは、前記コンピュータに接続されているディスプレーに表示される信号を処理し、
前記第一コードレス受信／発信ユニットは、この信号を外部に発信し、
前記サブ制御端装置の前記第二コードレス受信／発信ユニットは、この信号を受信し、
前記サブ制御端装置に接続されている前記第二メモリカードは、この信号を記憶可能であることを特徴とする請求項１に記載のコードレスインタラクティブ装置。
【請求項４】
前記サブ制御端装置を多数設け、
前記メーン制御端装置の前記第一コードレス受信／発信ユニットは、前記サブ制御端装置で発生した信号を受信し、前記コンピュータに接続されているディスプレーに表示可能なことを特徴とする請求項１に記載のコードレスインタラクティブ装置。
【考案の詳細な説明】
【技術分野】
【０００１】
本考案は、コードレスインタラクティブ装置に関し、特に、メーン制御端装置とサブ制御端装置とにメモリカードコネクタをそれぞれ設け、これらのメモリカードコネクタに接続されるメモリカードに記憶されたデータを読み取りディスプレーに表示可能なコードレスインタラクティブ装置に関する。
【背景技術】
【０００２】
従来、市販されているタブレット５１は、図１に示すように有線であり、単一のユーザだけが使用可能である。タブレット５１は、接続ケーブル５２を経由してホスト５３に連接され、感圧方法によってタブレット５１に文字や模様を書いた後、その入力結果がホスト５３に処理され、ディスプレー５４に表示される。
従来の単一のユーザだけが使用可能なタブレット５１は、接続ケーブル５２を介してホスト５３と接続する必要があるので、取付作業が極めて面倒であり、且つ接続ケーブル５２のために使用箇所を任意に変更することができない。したがって、従来のタブレット５１によれば、複数のユーザが同時に会議に参加することができず、且つ複数のユーザが同時に授業を受けることもできない欠点があった。
【０００３】
上記の欠点を解決するために、本考案の出願者は、すでに図２に示すような複数のユーザが使用可能なコードレス感圧型制御装置を提案している。この複数のユーザが使用可能なコードレス感圧型制御装置は、入力ユニット６１と、受信装置６２と、を備える。入力ユニット６１は、感圧型入力パネル６１１と、コードレス発信素子６１２と、を有し、感圧型入力パネル６１１に書いた文字や図形をデジタル信号に変換して、コードレス発信素子６１２によって外部に電波を発信する。受信装置６２は、受信器６２１と、ホスト６２２と、ディスプレー６２３と、を有し、受信器６２１が入力ユニット６１から発信される電波を受信して、ホスト６２２の処理ユニットに入力した後、入力ユニット６１の感圧型入力パネル６１１に書いた文字や図形をディスプレー６２３に表示する。しかしながら、この複数のユーザ使用可能なコードレス感圧型制御装置によれば、データの入力は、入力ユニット６１の感圧型入力パネル６１１に書かないと、コンピュータに入力できず、また携帯可能なメモリカードに記憶したデータなどを読み出してコンピュータに入力することもできない。
【考案の開示】
【考案が解決しようとする課題】
【０００４】
本考案の主な目的は、メーン制御端装置とサブ制御端装置とにメモリカードコネクタをそれぞれ設け、これらのメモリカードコネクタに接続されるメモリカードに記憶されたデータを読み取りってディスプレーに表示可能なメモリカード接続機能付き会議および授業用コードレスインタラクティブ装置を提供することにある。
【課題を解決するための手段】
【０００５】
本考案に係るコードレスインタラクティブ装置は、外部装置接続用コネクタと処理ユニットと、第一コードレス受信／発信ユニットと、第一メモリカードコネクタとを有し、前記外部装置接続用コネクタをコンピュータに接続したとき、第一メモリカードコネクタに接続されている第一メモリカードに記憶されたデータを読み取り、処理ユニットによって読み取られたデータを処理し、その結果をコンピュータに接続されているディスプレーに表示可能なメーン制御端装置と、
感圧型タブレットゾーンと第二コードレス受信／発信ユニットと第二メモリカードコネクタとを有し、前記感圧型タブレットゾーンで発生した信号と、前記第二メモリカードコネクタに接続されている第二メモリカードから読み取ったデータとを前記第二コードレス受信／発信ユニットによって外部に発信し、前記メーン制御端装置の第一コードレス受信／発信ユニットが受信し、処理ユニットによってこの受信したデータを処理し、その結果をコンピュータに接続されているディスプレーに表示可能なサブ制御端装置と、を備える。
【０００６】
さらに、本考案に係るコードレスインタラクティブ装置は、前記コンピュータに接続されているディスプレーに表示される信号が、前記メーン制御端装置に接続されている第一メモリカードに記憶可能である。
さらに、本考案に係るコードレスインタラクティブ装置は、前記コンピュータに接続されているディスプレーに表示される信号が、前記メーン制御端装置の処理ユニットによって処理され、前記第一コードレス受信／発信ユニットによって外部に発信され、この発信された信号は、前記サブ制御端装置の第二コードレス受信／発信ユニットによって受信されて、前記サブ制御端装置に接続されている第二メモリカードに記憶可能である。
さらに、本考案に係るコードレスインタラクティブ装置は、サブ制御端装置が多数に設けてあり、且つこれらのサブ制御端装置で発生した信号は、前記メーン制御端装置の第一コードレス受信／発信ユニットに受信され、コンピュータに接続しているディスプレーに表示される。
【０００７】
（考案の効果）
本考案のコードレスインタラクティブ装置によれば、次のような効果がある。
（１）メーン制御端装置とサブ制御端装置とにメモリカードコネクタがそれぞれ設けてあり、これらのメモリカードコネクタに接続されているメモリカードに記憶されたデータを読み取ってディスプレーに表示可能である。
（２）複数のユーザが同時に会議を参加することが可能であり、且つ複数のユーザが同時に授業を受けることも可能である。
【考案を実施するための最良の形態】
【０００８】
以下、本考案の好適な実施形態を図面に基づき詳細に説明する。
（一実施形態）
図３に示すように、本考案の一実施形態によるコードレスインタラクティブ装置は、メーン制御端装置１０と、サブ制御端装置４０と、を備える。メーン制御端装置１０は、外部装置接続用コネクタ１１と、処理ユニット１２と、コードレス受信／発信ユニット１３と、メモリカードコネクタ１４と、を有する。メーン制御端装置１０は、外部装置接続用コネクタ１１をコンピュータ２０に接続したとき、メモリカードコネクタ１４に接続されているメモリカードＭ１に記憶されたデータを読み取り可能であり、処理ユニット１２によって読み取られたデータを処理した後、その結果をコンピュータに接続されているディスプレー３０に表示する。さらにコンピュータ２０に接続されているディスプレー３０に表示される信号は、メーン制御端装置１０に接続されているメモリカードＭ１に記憶可能である。
サブ制御端装置４０は、感圧型タブレットゾーン４１と、コードレス受信／発信ユニット４２と、メモリカードコネクタ４３と、を有する。サブ制御端装置４０は、感圧型タブレットゾーン４１で発生した信号と、メモリカードコネクタ４３に接続されているメモリカードＭ２から読み取ったデータとをコードレス受信／発信ユニット４２によって外部に発信し、メーン制御端装置１０のコードレス受信／発信ユニット１３が受信し、処理ユニット１２によってこの受信したデータを処理し、その結果をコンピュータ２０に接続しているディスプレー３０に表示する。
【０００９】
また、本実施形態のコードレスインタラクティブ装置は、コンピュータ２０に接続されているディスプレー３０が、発光ダイオードディスプレーであってもいいし、他の周知な形式のディスプレーであってもよい。
さらに、本実施形態のコードレスインタラクティブ装置は、コンピュータ２０に接続されているディスプレー３０に表示される信号が、メーン制御端装置１０の処理ユニット１２によって処理されて、コードレス受信／発信ユニット１３によって外部に発信され、発信された信号は、サブ制御端装置４０のコードレス受信／発信ユニット４２によって受信されて、サブ制御端装置４０に接続しているメモリカードＭ２に記憶可能である。
【００１０】
さらに、本実施形態のコードレスインタラクティブ装置は、サブ制御端装置４０が多数設けてあり、且つこれらのサブ制御端装置４０で発生した信号は、メーン制御端装置１０のコードレス受信／発信ユニット１３に受信されて、コンピュータ２０に接続されているディスプレー３０に表示される。このように、本実施形態のコードレスインタラクティブ装置によれば、複数のユーザが同時に会議に参加することが可能であり、且つ複数のユーザが同時に授業を受けることも可能である。
さらに、本実施形態のコードレスインタラクティブ装置は、コンピュータ２０に接続されているディスプレー３０が、感圧型ディスプレーであってもいいし、電子ファイトボードであってもいいし、プロジェクターであってもいいし、液晶ディスプレーであってもよく、本考案はこれらに限定されない。
【００１１】
本実施形態のコードレスインタラクティブ装置の主な特徴は、メーン制御端装置１０とサブ制御端装置４０とにメモリカードコネクタ１４、４３がそれぞれ設けてあり、会議の司会者や講座の受講者が、これらのメモリカードコネクタ１４、４３に接続しているメモリカードＭ１、Ｍ２に記憶されたデータを読み取ってディスプレーに表示可能であり、また、複数のサブ制御端装置４０を使用しているユーザは、感圧型タブレットゾーンに文字や図形を書き、又はメモリカードコネクタ４３に接続しているメモリカードＭ２からデータを読み取ることにより、データをサブ制御端装置４０に入力可能であり、そのデータをサブ制御端装置４０から電波を通じてメーン制御端装置１０に伝送してディスプレー３０に表示可能である。
以上、本考案を特定の実施形態に基づいて説明したが、これらは説明のためだけのものであり、本考案を限定するものではなく、この分野に通常の知識を有する者が、本考案の精神および範囲を逸脱することなく、ここで開示された実施形態に変更、追加、または、削除を施しても本考案の請求の登録請求範囲に含まれる。
【図面の簡単な説明】
【００１２】
【図１】従来のシングルタブレットの使用状態を示す模式図である。
【図２】従来の複数のユーザコードレス感圧型制御装置の模式図である。
【図３】本考案の一実施形態によるコードレスインタラクティブ装置を示す模式図である。
【符号の説明】
【００１３】
１０：メーン制御端装置、１１：外部装置接続用コネクタ、１２：処理ユニット、１３：コードレス受信／発信ユニット、１４：メモリカードコネクタ、２０：コンピュータ、３０：ディスプレー、４０：サブ制御端装置、４１：感圧型タブレットゾーン、４２：コードレス受信／発信ユニット、４３：メモリカードコネクタ、Ｍ１：メモリカード、Ｍ２：メモリカード
【図１】
0003140544.tif 000003
【図２】
0003140544.tif 000004
【図３】
0003140544.tif 000005